(57)【要約】【課題】光回線の長さに応じて信号レベルを最適化できるようにする。【解決手段】光通信システム１は、基地局２と、移動端末と無線通信を行う送受信局３と、基地局２と送受信局３とを接続する光回線４と、基地局２と送受信局３との間の通信における信号レベルを可変的に減衰するアッテネータ１１と、基地局２と送受信局３との接続確立時における通信応答時間に基づいて光回線４の基地局２と送受信局３との間の回線距離を測定する回線距離測定部１２と、回線距離が大きい程アッテネータ１１の減衰量を小さくする減衰量制御部１３とを備える。【選択図】図１
2013120963.tif 000002
【特許請求の範囲】
【請求項１】
基地局と、
移動端末と無線通信を行う送受信局と、
前記基地局と前記送受信局とを接続する光回線と、
前記基地局と前記送受信局との間の通信における信号レベルを可変的に減衰するアッテネータと、
前記基地局と前記送受信局との接続確立時における通信応答時間に基づいて前記光回線の前記基地局と前記送受信局との間の回線距離を測定する回線距離測定手段と、
前記回線距離が大きい程前記アッテネータの減衰量を小さくする減衰量制御手段と、
を備える光通信システム。
【請求項２】
前記回線距離測定手段は、
前記基地局から前記送受信局に対して距離測定用信号を送信する処理と、
前記距離測定用信号を受信した前記送受信局が前記基地局に対して返信信号を送信する処理と、
前記基地局が前記距離測定用信号を送信してから前記返信信号を受信するまでの時間に基づいて前記回線距離を決定する処理と、
を行う、
請求項１に記載の光通信システム。
【請求項３】
移動端末と無線通信を行う送受信局と光回線を介して接続する基地局であって、
前記基地局と前記送受信局との間の通信における信号レベルを可変的に減衰するアッテネータと、
前記基地局と前記送受信局との接続確立時における通信応答時間に基づいて前記光回線の前記基地局と前記送受信局との間の回線距離を測定する回線距離測定手段と、
前記回線距離が大きい程前記アッテネータの減衰量を小さくする減衰量制御手段と、
を備える基地局。
【請求項４】
前記回線距離測定手段は、
前記基地局から前記送受信局に対して距離測定用信号を送信する処理と、
前記距離測定用信号を受信した前記送受信局が前記基地局に対して返信信号を送信する処理と、
前記基地局が前記距離測定用信号を送信してから前記返信信号を受信するまでの時間に基づいて前記回線距離を決定する処理と、
を行う、
請求項３に記載の基地局。
【請求項５】
信号レベルを可変的に減衰するアッテネータを備える基地局と、移動端末と無線通信を行う送受信局とが光回線を介して接続される光通信システムの制御方法であって、
前記基地局と前記送受信局との接続確立時における通信応答時間に基づいて前記光回線の前記基地局と前記送受信局との間の回線距離を測定する回線距離測定ステップと、
前記回線距離が大きい程前記アッテネータの減衰量を小さくする減衰量制御ステップと、
を有する光通信システムの制御方法。
【請求項６】
前記回線距離測定ステップは、
前記基地局から前記送受信局に対して距離測定用信号を送信するステップと、
前記距離測定用信号を受信した前記送受信局が前記基地局に対して返信信号を送信するステップと、
前記基地局が前記距離測定用信号を送信してから前記返信信号を受信するまでの時間に基づいて前記回線距離を決定するステップと、
を含む、
請求項５に記載の光通信システムの制御方法。
【請求項７】
信号レベルを可変的に減衰するアッテネータを備える基地局と、移動端末と無線通信を行う送受信局とが光回線を介して接続される光通信システムの制御用プログラムであって、
コンピュータに、
前記基地局と前記送受信局との接続確立時における通信応答時間に基づいて前記光回線の前記基地局と前記送受信局との間の回線距離を測定する回線距離測定処理と、
前記回線距離が大きい程前記アッテネータの減衰量を小さくする減衰量制御処理と、
を実行させる光通信システムの制御用プログラム。
【請求項８】
前記回線距離測定処理は、
前記基地局から前記送受信局に対して距離測定用信号を送信する処理と、
前記距離測定用信号を受信した前記送受信局が前記基地局に対して返信信号を送信する処理と、
前記基地局が前記距離測定用信号を送信してから前記返信信号を受信するまでの時間に基づいて前記回線距離を決定する処理と、
を含む、
請求項７に記載の光通信システムの制御用プログラム。
【発明の詳細な説明】
【技術分野】
【０００１】
本発明は、光通信システムに関し、特にアッテネータの制御に関する。
【背景技術】
【０００２】
通信ネットワークにおいて、伝送媒体として光ファイバを利用した光通信が普及されている。光通信に関連する技術として、下記文献が開示されている。
【０００３】
特許文献１において、無線基地局及びサーチウィンドの補正方法が開示されている。当該発明は、サーチャーの回路規模が小さくし、パスサーチに要する時間を短くすることを目的として、無線端末から無線基地局に向けて送出された情報信号の光回線において生じる遅延量を測定し、この遅延量に基づいて遅延プロファイルを検出するためのサーチウィンドの範囲を補正することを特徴とするものである。
【０００４】
特許文献２において、基地局とアンテナ局（送受信局）との間を接続する光伝送システムが開示されている。当該発明は、鉄道トンネル等の電波が到達しない不感帯を解消するために、アンテナ局を多く接続できるようにすると共に受信信号のダイナミックレンジを圧縮できるようにすることを目的として、無線端末と通信を行う前進局と、前進局毎に設けられ光回線に対して各前進局をバス型に接続する複数の接続手段とを備え、各接続手段で生じる損失が各前進局と交換局との間で生じる損失をほぼ均一にするような値に選ばれていることを特徴とするものである。
【０００５】
特許文献３において、信号伝達システムが開示されている。当該発明は、低コストで通信の安定化を図ることを目的として、信号出力部が受ける信号のレベルが所定レベルより大きい場合に、信号出力部へ与える信号レベルを所定レベル以下に変化させ、所定レベル以下に変化された伝送信号を通信路へ出力することを特徴とするものである。
【先行技術文献】
【特許文献】
【０００６】
【特許文献１】特開２００４−１６５９７５号公報
【特許文献２】特開２００１−０４５０４２号公報
【特許文献３】特開２００６−２１７３９６号公報
【発明の概要】
【発明が解決しようとする課題】
【０００７】
携帯電話等の無線通信システムにおいて、携帯電話等と無線通信する送受信局を基地局から光回線で張出し、基地局と送受信局との間で光回線を介してデータの送受を行うシステムが利用されている。このようなシステムにおいては、基地局と送受信局との間の回線距離が長い場合に、光回線の信号レベルが低下し、伝送品質が低下する問題がある。一方、回線距離が短い場合には、光回線の信号レベルが高くなり、信号の歪により伝送品質が低下する問題がある。そのため、伝送距離に応じて光回線の出力レベルを調整する処置が求められる。
【０００８】
そこで、本発明は、光回線の長さに応じて信号レベルを最適化できるようにすることを目的とする。
【課題を解決するための手段】
【０００９】
本発明の第１の態様は、基地局と、移動端末と無線通信を行う送受信局と、前記基地局と前記送受信局とを接続する光回線と、前記基地局と前記送受信局との間の通信における信号レベルを可変的に減衰するアッテネータと、前記基地局と前記送受信局との接続確立時における通信応答時間に基づいて前記光回線の前記基地局と前記送受信局との間の回線距離を測定する回線距離測定部と、前記回線距離が大きい程前記アッテネータの減衰量を小さくする減衰量制御部とを備える光通信システムである。
【００１０】
本発明の第２の態様は、移動端末と無線通信を行う送受信局と光回線を介して接続する基地局であって、前記基地局と前記送受信局との間の通信における信号レベルを可変的に減衰するアッテネータと、前記基地局と前記送受信局との接続確立時における通信応答時間に基づいて前記光回線の前記基地局と前記送受信局との間の回線距離を測定する回線距離測定部と、前記回線距離が大きい程前記アッテネータの減衰量を小さくする減衰量制御部とを備えるものである。
【００１１】
本発明の第３の態様は、信号レベルを可変的に減衰するアッテネータを備える基地局と、移動端末と無線通信を行う送受信局とが光回線を介して接続される光通信システムの制御方法であって、前記基地局と前記送受信局との接続確立時における通信応答時間に基づいて前記光回線の前記基地局と前記送受信局との間の回線距離を測定する回線距離測定ステップと、前記回線距離が大きい程前記アッテネータの減衰量を小さくする減衰量制御ステップとを有するものである。
【００１２】
本発明の第４の態様は、信号レベルを可変的に減衰するアッテネータを備える基地局と、移動端末と無線通信を行う送受信局とが光回線を介して接続される光通信システムの制御用プログラムであって、コンピュータに、前記基地局と前記送受信局との接続確立時における通信応答時間に基づいて前記光回線の前記基地局と前記送受信局との間の回線距離を測定する回線距離測定処理と、前記回線距離が大きい程前記アッテネータの減衰量を小さくする減衰量制御処理とを実行させるものである。
【発明の効果】
【００１３】
本発明によれば、光回線の長さに応じて信号レベルが最適化され、光回線の長さに関わらず伝送品質を一定に保つことが可能となる。
【図面の簡単な説明】
【００１４】
【図１】本発明の実施の形態１に係る光通信システムの構成を示す図である。
【図２】実施の形態１に係る光通信システムの具体的構成を例示する図である。
【図３】実施の形態１に係る回線距離測定部の具体的構成を例示する図である。
【図４】実施の形態１に係る光回線の伝送フォーマットを例示する図である。
【図５】実施の形態１に係る変換テーブルを例示する図である。
【図６】実施の形態１に係る光通信システムの動作を示すフローチャートである。
【発明を実施するための形態】
【００１５】
実施の形態１
以下、図面を参照して本発明の実施の形態について説明する。図１は、本実施の形態に係る光通信システム１の機能的な構成を示している。光通信システム１は、基地局２、送受信局３、及び光回線４を有する。基地局２は、アッテネータ１１、回線距離測定部１２、及び減衰量制御部１３を有する。
【００１６】
基地局２は、光回線４を介して送受信局３と接続している。送受信局３は、携帯電話等の無線端末と無線通信を確立する。
【００１７】
アッテネータ１１は、基地局３と送受信局４との間の通信における信号レベルを可変的に減衰する。
【００１８】
回線距離測定部１２は、基地局３と送受信局４との接続確立時における通信応答時間に基づいて、光回線４の基地局２と送受信局３との間の回線距離を測定する。
【００１９】
減衰量制御部１３は、アッテネータ１１の減衰量を制御する。減衰量制御部１３は、回線距離測定部１２により測定された回線距離が大きい程アッテネータ１１の減衰量が小さくするように制御する。
【００２０】
上記構成により、光回線４の長さに応じて信号レベルが最適化され、光回線４の長さに関わらず伝送品質を一定に保つことが可能となる。
【００２１】
図２は、上記光通信システム１の具体的構成を例示している。本例に係る基地局３は、信号処理部２１、ＣＰＵ２２、多重分離部２３、シリアル／パラレル変換部２４、電気／光変換部２５、アッテネータ２６、及び回線距離測定部２７を有する。送受信局３は、電気／光変換部３１、ＣＰＵ３２、シリアル／パラレル変換部３３、多重分離部３４、及び無線部３５を有する。これらの構成部は、コンピュータ、制御用プログラム、各種論理回路等の協働により構成される。
【００２２】
信号処理部２１は、音声等の通信データを変復調処理する。ＣＰＵ２２は、基地局２及び送受信局３の制御を行う。
【００２３】
多重分離部２３は、信号処理部２１にて変調処理された送受信局３（無線端末）への下り通信データと、ＣＰＵ２２から送受信局３へ送信される制御データと、後述する距離測定データとの多重化を行うと共に、信号処理部２１にて復調処理される送受信局３からの上り通信データと、送受信局３からＣＰＵ２２への制御データと、距離測定データとの分離を行う。
【００２４】
シリアル／パラレル変換部２４は、多重分離部２３にて多重化された下り信号をパラレルからシリアルに変換すると共に、送受信局３からの上り信号をシリアルからパラレルに変換する。
【００２５】
電気／光変換部２５は、シリアル／パラレル変換部２４にてシリアル変換された下り信号を電気から光へ変換すると共に、送受信局３からの上り信号を光から電気へ変換する。
【００２６】
アッテネータ２６は、基地局２と送受信局３との間の光回線４の信号レベルを減衰させる。当該減衰量は、ＣＰＵ２２の制御により変更可能である。
【００２７】
回線距離測定部２７は、基地局２と送受信局３との間の光回線４の長さを測定する。当該測定に関しては後述する。
【００２８】
電気／光変換部３１は、基地局２からの下り信号を光から電気へ変換すると共に、基地局２へ送信する上り信号を電気から光へ変換する。
【００２９】
ＣＰＵ３２は、送受信局３の制御を行う。
【００３０】
シリアル／パラレル変換部３３は、電気／光変換部３１からの下り信号をシリアルからパラレルへ変換すると共に、電気／光変換部３１への上り信号をパラレルからシリアルへ変換する。
【００３１】
多重分離部３４は、シリアル／パラレル変換部３３からの下り信号を無線端末へ送信する信号と、基地局２からＣＰＵ３２への制御信号と、基地局２へ折り返す後述する距離測定データの分離を行うと共に、無線端末からの上り信号と、ＣＰＵ３２から基地局２への制御信号と、基地局２へ折り返す距離測定データの多重化を行う。
【００３２】
無線部３５は、多重分離部３４から無線端末への下り信号を無線周波数信号に変換すると共に、無線端末からの上り無線周波数信号を基地局２への上り信号に変換する。
【００３３】
図３は、上記回線距離測定部２７の具体的構成を例示している。本例に係る回線距離測定部２７は、カウンタ４１、フリップフロップ（ＦＦ）４２、発振器４３、ＮＡＮＤ４４、及びコンパレータ４５を有する。
【００３４】
カウンタ４１は、上記多重分離部２３からの距離測定開始信号によりリセットされ、ＦＦ４２のデータがセットされることによりカウントを開始する。その後、コンパレータ４５は、送受信局３に送信された距離測定データと送受信局３から返信される返信距離測定データとを比較、監視する。そして、両データが一致した場合に、ＦＦ４２のデータがリセットされ、カウンタ４１はカウントを停止する。
【００３５】
カウンタ４１によるカウント結果は、カウンタ４１のＱ１，Ｑ２，Ｑ３から出力し、ＣＰＵ２２により読み出し可能となる。当該カウント結果が、基地局２と送受信局３との間の光回線４の距離を示す距離測定値となる。
【００３６】
図４は、光回線４の伝送フォーマットを例示している。当該フォーマットの先頭にはフラグが設定されている。当該フラグが受信側で検出されることにより、距離測定データ、制御データ、及び通信データの位置が識別可能となる。
【００３７】
図５は、回線距離（光回線長）をアッテネータ２６の減衰量に変換するための変換テーブルを例示している。ＣＰＵ２２は、当該変換テーブルを参照し、回線距離測定部２７により測定された光回線長に対応するアッテネータ２６の制御値を取得する。
【００３８】
図６は、上記光通信システム１における動作を示している。以下、光通信システム１の動作を、図２、図６等を参照して説明する。基地局２は、送受信局３と光回線４の同期が確立（フラグ検出）すると、多重分離部２３が距離測定データの送信を開始する（Ｓ１０１）。その後、多重分離部２３は、回線距離測定部２７に対して距離測定開始を通知し、図３に示すカウンタ４１をリセットし、ＦＦ４２のデータをセットする。
【００３９】
その後、発振器４３のクロックがＮＡＮＤ４４を通じてカウンタ４１に入力し、カウンタ４１のカウントが開始される。多重分離部２３から送信される距離測定データは、信号処理部２１からの通信データ及びＣＰＵ２２からの制御データと多重化され、シリアル／パラレル変換部２４により上記伝送フォーマットに変換され、更に電気／光変換部２５より光信号に変換される。
【００４０】
電気／光変換部２５から送信される光信号は、アッテネータ２６を通過し、光回線４を介して送受信局３に送信される。基地局２からの光信号は、送受信局３の電気／光変換部３１により電気信号に変換され、シリアル／パラレル変換部によりパラレル変換される。
【００４１】
パラレル変換された信号は、多重分離部３４により無線部２５への通信データと、ＣＰＵ３２への制御データと、距離測定データとに分離される。距離測定データは、多重分離部３４からそのまま基地局２へ向けて折り返す。
【００４２】
多重分離部３４で折り返された返信距離測定データは、無線部３５からの通信データ及びＣＰＵ３２からの制御データと多重化される。当該多重化された信号は、シリアル／パラレル変換部３３によりシリアルに変換され、電気／光変換部３１により光信号に変換され、光回線４を介して基地局２に送信される。
【００４３】
送受信局３からの信号は、アッテネータ２６を通過し、電気／光変換部２５により電気信号に変換され、シリアル／パラレル変換部２４によりパラレル変換される。パラレル変換された信号は、多重分離部２３により信号処理部２１への通信データと、ＣＰＵ２２への制御データと、返信距離測定データとに分離される。
【００４４】
回線距離測定部２７は、返信距離測定データをコンパレータ４５により照合し、多重分離部２３から送信された距離測定データと一致した場合（ステップ１０２：ＹＥＳ）には、ＦＦ４２のデータをリセットする。ＦＦ４２のデータがリセットされると、発振器４３のクロックがＮＡＮＤ４４にてマスクされ、カウンタ４１のカウントが停止し、Ｑ１，Ｑ２，Ｑ３から距離測定値が出力する。
【００４５】
ＣＰＵ２２は、回線距離測定部２７から距離測定値を読み出し（ステップ１０３）、上記変換テーブル（図５参照）を参照し、光回線長に対応するアッテネータ２６の制御値を読み出し、アテネータ２６の減衰量を設定する（ステップ１０４）。
【００４６】
上記光通信システム１によれば、光回線４の長さに応じて信号レベルが最適化され、光回線４の長さに関わらず伝送品質を一定に保つことが可能となる。
【００４７】
尚、本発明は上記実施の形態に限られるものではなく、趣旨を逸脱しない範囲で適宜変更することが可能なものである。例えば、本発明は無線基地局以外の光通信システムにも適用することができる。
【符号の説明】
【００４８】
１  光通信システム
２  基地局
３  送受信局
４  光回線
１１，２６  アッテネータ
１２，２７  回線距離測定部
１３  減衰量測定部
２１  信号処理部
２２，３２  ＣＰＵ
２３，３４  多重分離部
２４，３３  シリアル／パラレル変換部
２５，３１  電気／光変換部
３５  無線部
４１  カウンタ
４２  フリップフロップ
４３  発振器
４４  ＮＡＮＤ
４５  コンパレータ
【図１】
2013120963.tif 000003
【図２】
2013120963.tif 000004
【図３】
2013120963.tif 000005
【図４】
2013120963.tif 000006
【図５】
2013120963.tif 000007
【図６】
2013120963.tif 000008